(57)【要約】  本発明は、無線通信の方法、ネットワーク装置及び端末機器を提供し、該方法は、ネットワーク装置は、端末機器に、前記端末機器が第１伝送周期に従ってアップリンクデータを伝送することを指示する設定情報を送信することと、前記ネットワーク装置は、前記端末機器の前記第１伝送周期に対応する伝送リソースにおけるデータ伝送状態に基づいて、前記端末機器が次回アップリンクデータを伝送する第２伝送周期を確定することとを含む。それによって、アップリンク伝送リソースの割り当て及び利用の効率を向上させることができ、無線リソースの浪費を避ける。
2019502278.tif 000002
【特許請求の範囲】
【請求項１】
無線通信の方法であって、
ネットワーク装置は、端末機器に、前記端末機器が第１伝送周期に従ってアップリンクデータを伝送することを指示する設定情報を送信することと、
前記ネットワーク装置は、前記端末機器の前記第１伝送周期に対応する伝送リソースにおけるデータ伝送状態に基づいて、前記端末機器が次回アップリンクデータを伝送する第２伝送周期を確定することと、
を含む、ことを特徴とする前記無線通信の方法。
【請求項２】
前記ネットワーク装置は、前記端末機器の前記第１伝送周期に対応する伝送リソースにおけるデータ伝送状態に基づいて、前記端末機器が次回アップリンクデータを伝送する第２伝送周期を確定することは、
前記ネットワーク装置が、前記第１伝送周期に対応する伝送リソースにおいて、前記端末機器により送信されたアップリンクデータを受信した場合、調整パラメータに基づいて、前記第２伝送周期を確定すること、を含み、
前記第２伝送周期が前記第１伝送周期より小さく、しかも第１所定値以上である、
ことを特徴とする請求項１に記載の無線通信の方法。
【請求項３】
前記ネットワーク装置は、前記端末機器の前記第１伝送周期に対応する伝送リソースにおけるデータ伝送状態に基づいて、前記端末機器が次回アップリンクデータを伝送する第２伝送周期を確定することは、
前記ネットワーク装置が、前記第１伝送周期に対応する伝送リソースにおいて、前記端末機器により送信されたアップリンクデータを受信しない場合、調整パラメータに基づいて、前記第２伝送周期を確定することを含み、
前記第２伝送周期が前記第１伝送周期より大きく、しかも第２所定値以下である、
ことを特徴とする請求項１に記載の無線通信の方法。
【請求項４】
前記ネットワーク装置が、前記第２伝送周期に対応する伝送リソースにおいて、前記端末機器により送信されたアップリンクデータを受信した場合、前記第２伝送周期より小さい値を、前記端末機器がアップリンクデータを再度伝送する第３伝送周期として確定すること、
をさらに含む、ことを特徴とする請求項３に記載の無線通信の方法。
【請求項５】
前記第２伝送周期より小さい値を、前記端末機器がアップリンクデータを再度伝送する第３伝送周期として確定することは、
前記調整パラメータに基づいて、前記第２伝送周期より小さい値を確定し、前記第２伝送周期より小さい値を前記第３伝送周期として確定すること、又は、
前記第１伝送周期を前記第３伝送周期として確定すること、
を含む、ことを特徴とする請求項４に記載の無線通信の方法。
【請求項６】
前記ネットワーク装置は、前記端末機器の前記第１伝送周期に対応する伝送リソースにおけるデータ伝送状態に基づいて、前記端末機器が次回アップリンクデータを伝送する第２伝送周期を確定することは、
前記ネットワーク装置が前記第１伝送周期に対応する伝送リソースにおいて受信した、端末機器により送信されたアップリンクデータパケットは、メディアアクセス制御（ＭＡＣ）層を含み、前記ＭＡＣ層は第１指示情報をベアラし、前記第１指示情報は、前記端末機器に送信すべきデータがあるか否かを指示するために用いられ、
ここで、前記端末機器が次回アップリンクデータを伝送する第２伝送周期を確定することは、
前記第１指示情報に基づいて、前記第２伝送周期、及び前記第２伝送周期に対応する伝送リソースを確定すること、
を含む、ことを特徴とする請求項１に記載の無線通信の方法。
【請求項７】
前記ＭＡＣ層のＭＡＣ制御ユニット（ＭＡＣ  ＣＥ）の部分は前記第１指示情報をベアラし、又は、前記ＭＡＣ層のＭＡＣパケットヘッダーの部分は前記第１指示情報をベアラし、又は前記ＭＡＣ層の付加情報の部分は前記第１指示情報をベアラする、
ことを特徴とする請求項６に記載の無線通信の方法。
【請求項８】
前記ネットワーク装置は、前記端末機器の前記第１伝送周期に対応する伝送リソースにおけるデータ伝送状態に基づいて、前記端末機器が次回アップリンクデータを伝送する第２伝送周期を確定することは、
前記ネットワーク装置が前記第１伝送周期に対応する伝送リソースにおいて受信した、前記端末機器により送信されたアップリンクデータパケットは、ＭＡＣ層を含み、前記ＭＡＣ層は第２指示情報をベアラし、前記第２指示情報は、前記端末機器に送信すべきデータがあることと、前記送信すべきデータが、前記端末機器が前記第１伝送周期に対応する伝送リソースにおいて送信されたアップリンクデータに対する大きさとを示すために用いられ、
ここで、前記端末機器が次回アップリンクデータを伝送する第２伝送周期を確定することは、
前記第２指示情報に基づいて、前記第２伝送周期、及び前記第２伝送周期に対応する伝送リソースを確定すること、
を含む、ことを特徴とする請求項１に記載の無線通信の方法。
【請求項９】
前記ＭＡＣ層のＭＡＣ制御ユニット（ＭＡＣ  ＣＥ）の部分は前記第２指示情報をベアラし、又は、前記ＭＡＣ層のＭＡＣパケットヘッダーの部分は前記第２指示情報をベアラし、又は前記ＭＡＣ層の付加情報の部分は前記第２指示情報をベアラする、
ことを特徴とする請求項８に記載の無線通信の方法。
【請求項１０】
前記ネットワーク装置は、ブロードキャスト、マルチキャスト又はユニキャストの形式で、前記端末機器に無線リソース制御（ＲＲＣ）メッセージを送信することをさらに含み、前記ＲＲＣメッセージは、前記調整パラメータを含む、
ことを特徴とする請求項２〜５のいずれか１項に記載の無線通信の方法。
【請求項１１】
前記調整パラメータは、調整アルゴリズム及び／又は調整ステップサイズを含む、
ことを特徴とする請求項１０に記載の無線通信の方法。
【請求項１２】
前記調整アルゴリズムは、ランダム選択アルゴリズム、指数アルゴリズム又は線形アルゴリズムを含む、
ことを特徴とする請求項１１に記載の無線通信の方法。
【請求項１３】
無線通信の方法であって、
端末機器は、ネットワーク装置により送信された、前記端末機器が第１伝送周期に従ってアップリンクデータを伝送することを指示する設定情報を受信することと、
前記端末機器は、前記第１伝送周期に対応する伝送リソースにおけるデータ伝送状態に基づいて、次回アップリンクデータを伝送する第２伝送周期を確定することと、
を含む、ことを特徴とする前記無線通信の方法。
【請求項１４】
前記端末機器は、前記第１伝送周期に対応する伝送リソースにおけるデータ伝送状態に基づいて、次回アップリンクデータを伝送する第２伝送周期を確定することは、
前記端末が前記第１伝送周期に対応する伝送リソースにおいて、前記ネットワーク装置にアップリンクデータを送信する場合、調整パラメータに基づいて、前記第２伝送周期を確定することを含み、
前記第２伝送周期が前記第１伝送周期より小さく、しかも第１所定値以上である、
ことを特徴とする請求項１３に記載の無線通信の方法。
【請求項１５】
前記端末機器は、前記第１伝送周期に対応する伝送リソースにおけるデータ伝送状態に基づいて、次回アップリンクデータを伝送する第２伝送周期を確定することは、
前記端末機器が前記第１伝送周期に対応する伝送リソースにおいて、前記ネットワーク装置にアップリンクデータを送信しない場合、調整パラメータに基づいて、前記第２伝送周期を確定することを含み、
前記第２伝送周期が前記第１伝送周期より大きく、しかも第２所定値以下である、
ことを特徴とする請求項１３に記載の無線通信の方法。
【請求項１６】
前記端末機器が前記第２伝送周期に対応する伝送リソースにおいて、前記ネットワーク装置にアップリンクデータを送信する場合に、前記第２伝送周期より小さい値を、再度アップリンクデータを伝送する第３伝送周期として確定すること、をさらに含む、
ことを特徴とする請求項１５に記載の無線通信の方法。
【請求項１７】
前記第２伝送周期より小さい値を、再度アップリンクデータを伝送する第３伝送周期として確定することは、
前記調整パラメータに基づいて、前記第２伝送周期より小さい値を確定し、前記第２伝送周期より小さい値を前記第３伝送周期として確定すること、又は、
前記第１伝送周期を前記第３伝送周期として確定すること、
を含む、ことを特徴とする請求項１６に記載の無線通信の方法。
【請求項１８】
前記端末機器は、前記ネットワーク装置から、ブロードキャスト、マルチキャスト又はユニキャストによって送信された無線リソース制御（ＲＲＣ）メッセージを受信することをさらに含み、
前記ＲＲＣメッセージは、前記調整パラメータを含む、
ことを特徴とする請求項１４〜１７のいずれか１項に記載の無線通信の方法。
【請求項１９】
前記調整パラメータは、調整アルゴリズム及び／又は調整ステップサイズを含む、
ことを特徴とする請求項１８に記載の無線通信の方法。
【請求項２０】
前記調整アルゴリズムは、ランダム選択アルゴリズム、指数アルゴリズム又は線形アルゴリズムを含む、
ことを特徴とする請求項１９に記載の無線通信の方法。
【請求項２１】
無線通信の方法であって、
端末機器は、ネットワーク装置により送信された、前記端末機器が第１伝送リソースにおいてアップリンクデータを伝送することを指示する設定情報を受信することと、
前記端末機器は、前記第１伝送リソースにおいて前記ネットワーク装置にアップリンクデータパケットを送信することと、
を含み、
前記アップリンクデータパケットは、前記ネットワーク装置がＭＡＣ層に基づいて前記端末機器に第２伝送リソースを設定するために、前記メディアアクセス制御（ＭＡＣ）層を含む。
ことを特徴とする前記無線通信の方法。
【請求項２２】
前記ＭＡＣ層は第１指示情報をベアラし、前記第１指示情報は、前記端末機器に送信すべきデータがあるか否かを指示するために用いられる、
ことを特徴とする請求項２１に記載の無線通信の方法。
【請求項２３】
前記ＭＡＣ層は第２指示情報をベアラし、前記第２指示情報は、前記端末機器に送信すべきデータが存在することと、前記送信すべきデータが、前記端末機器が前記第１伝送リソースにおいて送信したアップリンクデータに対する大きさとを示すために用いられる、
ことを特徴とする請求項２１に記載の無線通信の方法。
【請求項２４】
前記ＭＡＣ層のＭＡＣ制御ユニット（ＭＡＣ  ＣＥ）の部分は前記第１指示情報をベアラし、又は、前記ＭＡＣ層のＭＡＣパケットヘッダーの部分は前記第１指示情報をベアラし、又は前記ＭＡＣ層の付加情報の部分は前記第１指示情報をベアラする、
ことを特徴とする請求項２２に記載の無線通信の方法。
【請求項２５】
前記ＭＡＣ層のＭＡＣ制御ユニット（ＭＡＣ  ＣＥ）の部分は前記第２指示情報をベアラし、又は、前記ＭＡＣ層のＭＡＣパケットヘッダーの部分は前記第２指示情報をベアラし、又は前記ＭＡＣ層の付加情報の部分は前記第２指示情報をベアラする、
ことを特徴とする請求項２３に記載の無線通信の方法。
【請求項２６】
ネットワーク装置であって、
端末機器に、端末機器が第１伝送周期に従ってアップリンクデータを伝送することを指示する設定情報を送信するように構成される送受信モジュールと、
前記端末機器の前記第１伝送周期に対応する伝送リソースにおけるデータ伝送状態に基づいて、前記端末機器が次回アップリンクデータを伝送する第２伝送周期を確定するように構成される処理モジュールと、
を含む、ことを特徴とする前記ネットワーク装置。
【請求項２７】
前記処理モジュールは、具体的に、
前記送受信モジュールが、前記第１伝送周期に対応する伝送リソースにおいて、前記端末機器により送信されたアップリンクデータを受信した場合、調整パラメータに基づいて、前記第２伝送周期を確定するように構成され、
前記第２伝送周期が前記第１伝送周期より小さく、しかも第１所定値以上である、
ことを特徴とする請求項２６に記載のネットワーク装置。
【請求項２８】
前記処理モジュールは、具体的に、
前記送受信モジュールが、前記第１伝送周期に対応する伝送リソースにおいて、前記端末機器により送信されたアップリンクデータを受信しない場合、調整パラメータに基づいて、前記第２伝送周期を確定するように構成され、
前記第２伝送周期が前記第１伝送周期より大きく、しかも第２所定値以下である、
ことを特徴とする請求項２６に記載のネットワーク装置。
【請求項２９】
前記処理モジュールは、
前記送受信モジュールが、前記第２伝送周期に対応する伝送リソースにおいて、前記端末機器により送信されたアップリンクデータが受信した場合、前記第２伝送周期より小さい値を、前記端末機器がアップリンクデータを再度伝送する第３伝送周期として確定するようにさらに構成される、
ことを特徴とする請求項２８に記載のネットワーク装置。
【請求項３０】
前記処理モジュールは、具体的に
前記調整パラメータに基づいて、前記第２伝送周期より小さい値を確定し、前記第２伝送周期より小さい値を前記第３伝送周期として確定する、又は、
前記第１伝送周期を前記第３伝送周期として確定するように構成される、
ことを特徴とする請求項２９に記載のネットワーク装置。
【請求項３１】
前記送受信モジュールは、
前記第１伝送周期に対応する伝送リソースにおいて受信した、前記端末機器により送信されたアップリンクデータパケットは、メディアアクセス制御（ＭＡＣ）層を含み、前記ＭＡＣ層は第１指示情報をベアラし、前記第１指示情報は、前記端末機器に送信すべきデータがあるか否かを指示するために用いられ、
ここで、前記処理モジュールは、
前記ネットワーク装置は、前記第１指示情報に基づいて、前記第２伝送周期と、前記第２伝送周期に対応する伝送リソースとを確定するように構成される、
ことを特徴とする請求項２６に記載のネットワーク装置。
【請求項３２】
前記ＭＡＣ層のＭＡＣ制御ユニット（ＭＡＣ  ＣＥ）の部分は前記第１指示情報をベアラし、又は、前記ＭＡＣ層のＭＡＣパケットヘッダーの部分は前記第１指示情報をベアラし、又は前記ＭＡＣ層の付加情報の部分は前記第１指示情報をベアラする、
ことを特徴とする請求項３１に記載のネットワーク装置。
【請求項３３】
前記送受信モジュールは、
前記第１伝送周期に対応する伝送リソースにおいて受信した、前記端末機器により送信されたアップリンクデータパケットは、ＭＡＣ層を含み、前記ＭＡＣ層は第２指示情報をベアラし、前記第２指示情報は、前記端末機器に送信すべきデータがあることと、前記送信すべきデータが、前記端末機器が前記第１伝送周期に対応する伝送リソースにおいて送信されたアップリンクデータに対する大きさとを示すために用いられ、
ここで、前記処理モジュールは、
前記第２指示情報に基づいて、前記第２伝送周期、及び前記第２伝送周期に対応する伝送リソースを確定するように構成される、
ことを特徴とする請求項２６に記載のネットワーク装置。
【請求項３４】
前記ＭＡＣ層のＭＡＣ制御ユニット（ＭＡＣ  ＣＥ）の部分は前記第２指示情報をベアラし、又は、前記ＭＡＣ層のＭＡＣパケットヘッダーの部分は前記第２指示情報をベアラし、又は前記ＭＡＣ層の付加情報の部分は前記第２指示情報をベアラする、
ことを特徴とする請求項３３に記載のネットワーク装置。
【請求項３５】
前記送受信モジュールは、
ブロードキャスト、マルチキャスト又はユニキャストの形式で、前記端末機器に無線リソース制御（ＲＲＣ）メッセージを送信するようにさらに構成され、前記ＲＲＣメッセージは、前記調整パラメータを含む、
ことを特徴とする請求項２７〜３０のいずれか１項に記載のネットワーク装置。
【請求項３６】
前記調整パラメータは、調整アルゴリズム及び／又は調整ステップサイズを含む、
ことを特徴とする請求項３５に記載のネットワーク装置。
【請求項３７】
前記調整アルゴリズムは、ランダム選択アルゴリズム、指数アルゴリズム又は線形アルゴリズムを含む、
ことを特徴とする請求項３６に記載のネットワーク装置。
【請求項３８】
端末機器であって、
ネットワーク装置により送信された、前記端末機器が第１伝送周期に従ってアップリンクデータを伝送することを指示する設定情報を受信するように構成される送受信モジュールと、
前記第１伝送周期に対応する伝送リソースにおけるデータ伝送状態に基づいて、次回アップリンクデータを伝送する第２伝送周期を確定するように構成される処理モジュールと、
を含む、ことを特徴とする前記端末機器。
【請求項３９】
前記処理モジュールは、具体的に、
前記送受信モジュールが、前記第１伝送周期に対応する伝送リソースにおいて、前記ネットワーク装置にアップリンクデータを送信する場合、調整パラメータに基づいて、前記第２伝送周期を確定するように構成され、前記第２伝送周期が前記第１伝送周期より小さく、しかも第１所定値以上である、
ことを特徴とする請求項３８に記載の端末機器。
【請求項４０】
前記処理モジュールは、具体的に、
前記送受信モジュールが、前記第１伝送周期に対応する伝送リソースにおいて、前記ネットワーク装置にアップリンクデータを送信しない場合、調整パラメータに基づいて、前記第２伝送周期を確定し、前記第２伝送周期が前記第１伝送周期より大きく、しかも第２所定値以下である、
ことを特徴とする請求項３８に記載の端末機器。
【請求項４１】
前記処理モジュールは、
前記送受信モジュールが、前記第２伝送周期に対応する伝送リソースにおいて、前記ネットワーク装置にアップリンクデータを送信する場合、前記第２伝送周期より小さい値を、再度アップリンクデータを伝送する第３伝送周期として確定するようにさらに構成される、
ことを特徴とする請求項４０に記載の端末機器。
【請求項４２】
前記処理モジュールは、具体的に、
前記調整パラメータに基づいて、前記第２伝送周期より小さい値を確定し、前記第２伝送周期より小さい値を前記第３伝送周期として確定する、又は、
前記第１伝送周期を前記第３伝送周期として確定するように構成される、
ことを特徴とする請求項４１に記載の端末機器。
【請求項４３】
前記送受信モジュールは、
前記ネットワーク装置が、ブロードキャスト、マルチキャスト又はユニキャストによって送信した無線リソース制御（ＲＲＣ）メッセージを受信するようにさらに構成され、前記ＲＲＣメッセージは、前記調整パラメータを含む、
ことを特徴とする請求項３９〜４２のいずれか１項に記載の端末機器。
【請求項４４】
前記調整パラメータは、調整アルゴリズム及び／又は調整ステップサイズを含む、
ことを特徴とする請求項４３に記載の端末機器。
【請求項４５】
前記調整アルゴリズムは、ランダム選択アルゴリズム、指数アルゴリズム又は線形アルゴリズムを含む、
ことを特徴とする請求項４４に記載の端末機器。
【請求項４６】
端末機器であって、
ネットワーク装置により送信された、前記端末機器が第１伝送リソースにおいてアップリンクデータを伝送することを指示する設定情報を受信するように構成される受信モジュールと、
前記第１伝送リソースにおいて前記ネットワーク装置にアップリンクデータパケットを送信するように構成される送信モジュールと、
を含み、
前記アップリンクデータパケットは、前記ネットワーク装置がＭＡＣ層に基づいて前記端末機器に第２伝送リソースを設定するために、前記メディアアクセス制御（ＭＡＣ）層を含む、
ことを特徴とする前記端末機器。
【請求項４７】
前記ＭＡＣ層は第１指示情報をベアラし、前記第１指示情報は、前記端末機器に送信すべきデータがあるか否かを指示するために用いられる、
ことを特徴とする請求項４６に記載の端末機器。
【請求項４８】
前記ＭＡＣ層は第２指示情報をベアラし、前記第２指示情報は、前記端末機器に送信すべきデータが存在することと、前記送信すべきデータが、前記端末機器が前記第１伝送リソースにおいて送信したアップリンクデータに対する大きさとを示すために用いられる、
ことを特徴とする請求項４６に記載の端末機器。
【請求項４９】
前記ＭＡＣ層のＭＡＣ制御ユニット（ＭＡＣ  ＣＥ）の部分は前記第１指示情報をベアラし、又は、前記ＭＡＣ層のＭＡＣパケットヘッダーの部分は前記第１指示情報をベアラし、又は前記ＭＡＣ層の付加情報の部分は前記第１指示情報をベアラする、
ことを特徴とする請求項４７に記載の端末機器。
【請求項５０】
前記ＭＡＣ層のＭＡＣ制御ユニット（ＭＡＣ  ＣＥ）の部分は前記第２指示情報をベアラし、又は、前記ＭＡＣ層のＭＡＣパケットヘッダーの部分は前記第２指示情報をベアラし、又は前記ＭＡＣ層の付加情報の部分は前記第２指示情報をベアラする、
ことを特徴とする請求項４８に記載の端末機器。
【発明の詳細な説明】
【技術分野】
【０００１】
本発明は、通信分野に関し、特に無線通信の方法、ネットワーク装置及び端末機器に関する。
【背景技術】
【０００２】
現在、無線通信標準化機構は、ロング・ターム・エボリューション（ＬＴＥ：Ｌｏｎｇ  Ｔｅｒｍ  Ｅｖｏｌｕｔｉｏｎ）システムにおける遅延短縮技術に関する研究を行っており、その中、下記の方面で最適化しようとしている。（１）フレーム構成内の伝送時間間隔（ＴＴＩ：Ｔｒａｎｓｍｉｓｓｉｏｎ  Ｔｉｍｅ  Ｉｎｔｅｒｖａｌ）の短縮であり、例えばＴＴＩを現在の１ｍｓから０．５ｍｓに、ひいては一つの直交周波数分割多重（ＯＦＤＭ：Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）シンボルに至るまで短縮する。（２）高速のデータ伝送であり、半永続スケジューリング（ＳＰＳ：Ｓｅｍｉ−Ｐｅｒｓｉｓｔｅｎｔ  Ｓｃｈｅｄｕｌｉｎｇ）のようなリソースを予め割り当てる方式を利用し、アップリンクデータが受信されるまでのユーザの必要とする伝送時間を低減することである。（３）ハンドオーバー遅延に関する最適化であり、ハンドオーバーの過程における遅延に対する最適化を行い、ダウンリンク同期時間とアップリンク同期時間を低減させることを重点とする。
【０００３】
ここで、（２）で主に、現在直面しているデータ受信、特にアップリンクデータが到達する時のデータ伝送遅延に関する課題を解決する。現在のメカニズムによって、現在、端末がデータ伝送をしていない場合、基地局はそれにアップリンクリソースを割り当てしない。端末がデータ伝送をしようとする場合、一つのアップリンクスケジューリング要求（ＳＲ：Ｓｃｈｅｄｕｌｉｎｇ  Ｒｅｑｕｅｓｔ）を基地局にまず送信し、そして基地局は固定のアップリンクスケジューリング許可（ＵＬ  ｇｒａｎｔ）を端末に割り当て、端末がメモリ内の伝送しようとするデータを報告することを許可し、即ちバッファステータス報告（ＢＳＲ：Ｂｕｆｆｅｒ  Ｓｔａｔｕｓ  Ｒｅｐｏｒｔ）、さらに、基地局は、ＢＳＲ内のフィードバックされた伝送しようとするデータに基づいて、端末に適切なリソースを割り当てる。
【０００４】
現在、高速データ伝送に関する最適化は、主に半永続スケジューリング伝送メガニウムに基づく専用リソースの割り当てと、ＵＬ  ｇｒａｎｔの予め割り当てとの二つの技術案があるが、この二つの技術案において、ＵＬ  ｇｒａｎｔの割り当て及び利用の効率が低く、無線リソースの浪費になる。
【発明の概要】
【０００５】
本発明は、無線通信の方法、ネットワーク装置及び端末機器を提供し、アップリンクリソースの割り当て及び利用の効率を向上させ、無線リソースの浪費を避ける。
【０００６】
第１態様において、無線通信の方法を提供し、ネットワーク装置は、端末機器に、前記端末機器が第１伝送周期に従ってアップリンクデータを伝送することを指示する設定情報を送信することと、
前記ネットワーク装置は、前記端末機器の前記第１伝送周期に対応する伝送リソースにおけるデータ伝送状態に基づいて、前記端末機器が次回アップリンクデータを伝送する第２伝送周期を確定することと、
を含む。
【０００７】
第２態様において、無線通信の方法を提供し、
端末機器は、ネットワーク装置により送信された、前記端末機器が第１伝送周期に従ってアップリンクデータを伝送することを指示する設定情報を受信することと、
前記端末機器は、前記第１伝送周期に対応する伝送リソースにおけるデータ伝送状態に基づいて、次回アップリンクデータを伝送する第２伝送周期を確定することと、
を含む。
【０００８】
第３態様において、無線通信の方法を提供し、
端末機器は、ネットワーク装置により送信された、前記端末機器が第１伝送リソースにおいてアップリンクデータを伝送することを指示する設定情報を受信することと、
前記端末機器は、前記第１伝送リソースにおいて前記ネットワーク装置にアップリンクデータパケットを送信することと、
を含み、前記アップリンクデータパケットは、前記ネットワーク装置が前記ＭＡＣ層に基づいて、前記端末機器に第２伝送リソースを設定するために、メディアアクセス制御（ＭＡＣ）層を含む。
【０００９】
第４態様において、ネットワーク装置を提供し、
端末機器に、端末機器が第１伝送周期に従ってアップリンクデータを伝送することを指示する設定情報を送信するように構成される送受信モジュールと、
前記端末機器の前記第１伝送周期に対応する伝送リソースにおけるデータ伝送状態に基づいて、前記端末機器が次回アップリンクデータを伝送する第２伝送周期を確定するように構成される処理モジュールと、
を含む。
【００１０】
第５態様において、端末機器を提供し、
ネットワーク装置により送信された、前記端末機器が第１伝送周期に従ってアップリンクデータを伝送することを指示する設定情報を受信するように構成される送受信モジュールと、
前記第１伝送周期に対応する伝送リソースにおけるデータ伝送状態に基づいて、次回アップリンクデータを伝送する第２伝送周期を確定するように構成される処理モジュールと、
を含む。
【００１１】
第６態様において、端末機器を提供し、
ネットワーク装置により送信された、前記端末機器が第１伝送リソースにおいてアップリンクデータを伝送することを指示する設定情報を受信するように構成される受信モジュールと、
前記第１伝送リソースにおいて、前記ネットワーク装置にアップリンクデータパケットを送信するように構成される送信モジュールと、
を含み、前記アップリンクデータパケットは、前記ネットワーク装置が前記ＭＡＣ層に基づいて、前記端末機器に第２伝送リソースを設定するために、メディアアクセス制御（ＭＡＣ）層を含む。
【００１２】
上記の技術特徴に基づいて、本発明の実施例は、無線通信の方法、ネットワーク装置及び端末機器を提供する。ネットワーク装置は、端末機器のアップリンクデータの伝送状態に基づいて、端末機器にアップリンク伝送リソースを設定する周期を確定することができ、それによって、アップリンク伝送リソースの割り当て及び利用の効率を向上させることができ、無線リソースの浪費を避ける。
【図面の簡単な説明】
【００１３】
【図１】本発明の実施例に基づく無線通信の方法を示すフローチャートである。
【図２】本発明の実施例に基づく無線通信の方法を示すもう一つのフローチャートである。
【図３】本発明のもう一つの実施例に基づく無線通信の方法を示すフローチャートである。
【図４】本発明のもう一つの実施例に基づく無線通信の方法を示すもう一つのフローチャートである。
【図５】本発明の別の一つの実施例に基づく無線通信の方法を示すフローチャートである。
【図６】本発明の別の一つの実施例に基づく無線通信の方法を示すフローチャートである。
【図７】本発明の実施例に基づくネットワーク装置を示すブロック図である。
【図８】本発明のもう一つの実施例に基づくネットワーク装置を示すブロック図である。
【図９】本発明の実施例に基づく端末機器を示すブロック図である。
【図１０】本発明のもう一つの実施例に基づく端末機器を示すブロック図である。
【図１１】本発明の別の一つの実施例に基づく端末機器を示すブロック図である。
【図１２】本発明の別の一つの実施例に基づく端末機器を示すブロック図である。
【発明を実施するための形態】
【００１４】
より明確に本発明の実施例を説明するために、上記において、実施例または先行技術の説明で必要となる図面を簡単に説明し、明らかに、上記に記載されている図面は、単なる本発明の幾つかの実施例に過ぎず、当業者にとって、創造的な労力を払わない前提で、これらの図面に基づいてその他の図面が得ることができる。
【００１５】
下記において、本発明の実施例の図面を結合し、本発明の実施例の技術案を明確的、全面的に説明し、当然、説明されている実施例は、本発明の一部の実施例に過ぎず、全ての実施例ではない。本発明の実施例に基づいて、当業者は創造的な労力を払っていない前提で得られたすべてのその他の実施例は、本発明の範囲内である。
【００１６】
理解すべきこととして、本発明の実施例における技術案は、様々な通信システム、例えばグローバル移動体通信（ＧＳＭ：Ｇｌｏｂａｌ  Ｓｙｓｔｅｍ  ｏｆ  Ｍｏｂｉｌｅ  Ｃｏｍｍｕｎｉｃａｔｉｏｎ）システム、符号分割多元接続（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）汎用パケット無線サービス（ＧＰＲＳ：Ｇｅｎｅｒａｌ  Ｐａｃｋｅｔ  Ｒａｄｉｏ  Ｓｅｒｖｉｃｅ）システム、長期進化型（ＬＴＥ：Ｌｏｎｇ  Ｔｅｒｍ  Ｅｖｏｌｕｔｉｏｎ）システム、ＬＴＥ周波数分割複信（ＦＤＤ：Ｆｒｅｑｕｅｎｃｙ  Ｄｉｖｉｓｉｏｎ  Ｄｕｐｌｅｘ）システム、ＬＴＥ時分割複信（ＴＤＤ：Ｔｉｍｅ  Ｄｉｖｉｓｉｏｎ  Ｄｕｐｌｅｘ）システム、ユニバーサル移動通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、グローバルインターコネクトマイクロ波アクセス（ＷｉＭＡＸ：Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）通信システム、及び将来の５Ｇ通信システムなどに適用されることができる。
【００１７】
なお、本発明の実施例において、端末機器（Ｔｅｒｍｉｎａｌ  Ｅｑｕｉｐｍｅｎｔ）は、ユーザ設備、モバイルステーション（ＭＳ：Ｍｏｂｉｌｅ  Ｓｔａｔｉｏｎ）、移動端末（Ｍｏｂｉｌｅ  Ｔｅｒｍｉｎａｌ）等を称しても良く、前記ユーザ設備は、無線アクセスネットワーク（ＲＡＮ：Ｒａｄｉｏ  Ａｃｃｅｓｓ  Ｎｅｔｗｏｒｋ）を介して、一つ又は複数のコアネットワークと通信を行うことができ、例えば、ユーザ設備は、携帯電話（又は「セルラー電話」とも称する）、移動端末を有するコンピュータ等であっても良く、例えば、ポータブル型、コンパクト型、ハンドヘルド型、コンピュータ内蔵型又は、車載の移動デバイス、及び将来５Ｇネットワークにおける端末機器又は将来進化型のＰＬＭＮネットワークにおける端末機器等であっても良い。
【００１８】
なお、本発明の実施例において、ネットワークデバイスは、端末機器と通信するためのデバイスであってもよく、前記ネットワークデバイスは、ＧＳＭシステム又はＣＤＭＡにおける基地局（ＢＴＳ：Ｂａｓｅ  Ｔｒａｎｓｃｅｉｖｅｒ  Ｓｔａｔｉｏｎ）であっても良く、ＷＣＤＭＡシステムにおける基地局（ＮＢ：ＮｏｄｅＢ）であっても良く、ＬＴＥシステムにおける進化型基地局（Ｅｖｏｌｕｔｉｏｎａｌ  Ｎｏｄｅ  Ｂ、「ｅＮＢ」又は「ｅＮｏｄｅＢ」と略称する）であっても良く、又は前記ネットワークデバイスは、中継局、アクセスポイント、車載デバイス、ウェアラブルデバイス及び将来の５Ｇネットワークにおけるネットワーク側デバイス、又は将来進化型のＰＬＭＮネットワークにおけるネットワークデバイスなどであっても良い。
【００１９】
また、本発明の実施例にける「第１」、「第２」等は、単に説明便利上によるものであり、いかなる限定とされない。例えば、第１伝送周期は、第２伝送周期と等しくても良く、第１伝送周期は第３伝送周期とも等しくても良い。
【００２０】
図１は、本発明の実施例に基づく無線通信の方法を示すフローチャートであり、図１に示すように、該方法１００は、Ｓ１１０〜Ｓ１２０を含む。
【００２１】
Ｓ１１０において、ネットワーク装置は、端末機器に、前記端末機器が第１伝送周期に従ってアップリンクデータを伝送することを指示する設定情報を送信する。
【００２２】
Ｓ１２０において、前記ネットワーク装置は、前記端末機器の前記第１伝送周期に対応する伝送リソースにおけるデータ伝送状態に基づいて、前記端末機器が次回アップリンクデータを伝送する第２伝送周期を確定する。
【００２３】
そのため、本発明の実施例における無線通信の方法において、ネットワーク装置は、端末機器のアップリンクデータの伝送状態に基づいて、端末機器が次回アップリンクデータを伝送する伝送周期を確定することができ、それによって、アップリンク伝送リソースの割り当て及び利用の効率を向上させることができ、無線リソースの浪費を避ける。
【００２４】
なお、本発明の実施例において、伝送リソースは、アップリンクスケジューリング許可（ＵＬ  ｇｒａｎｔ）リソースであっても良く、端末機器は、該ＵＬ  ｇｒａｎｔリソースにおいてバッファステータス報告（ＢＳＲ：Ｂｕｆｆｅｒ  Ｓｔａｔｕｓ  Ｒｅｐｏｒｔ）又は小さいパケットデータを送信することができる。端末機器がアップリンクデータを伝送する伝送周期は、ＵＬ  ｇｒａｎｔの送信周期又は設定周期と理解しても良い。
【００２５】
選択肢として、Ｓ１１０において、ネットワーク装置は、ブロードキャストシグナリング又は専用シグナリングによって、端末機器に設定情報を送信しても良く、端末機器は該設定情報を受信してから、伝送しようとするデータパケットがある場合、該設定情報の指示に基づいて、対応するサブフレームにおいて、対応するリソースをサーチし、アップリンクデータを送信する。
【００２６】
選択肢として、Ｓ１２０において、前記ネットワーク装置は、前記第１伝送周期に対応する伝送リソースにおいて、前記端末機器により送信されたアップリンクデータを受信した場合、調整パラメータに基づいて、前記第２伝送周期を確定し、前記第２伝送周期が前記第１伝送周期より小さく、しかも第１所定値以上である。
【００２７】
つまり、ネットワーク装置が、第１伝送周期に対応する伝送リソースにおいて端末機器により送信されたアップリンクデータを受信した場合、ネットワーク装置は、端末機器にアップリンク伝送リソースを割り当てる周期を短縮することができ、具体的に、規格に定められている、又はネットワーク装置が端末機器と事前に取り決められた調整パラメータに従って、リソース設定周期の調整を行うことができる。例えば、その前の伝送リソースの設定周期が４０ｍｓであり、ネットワーク装置がこの伝送リソースで端末機器により送信されたアップリンクデータを受信した場合、伝送リソースの設定周期を２０ｍｓに短縮することができる。
【００２８】
選択肢として、通信規格定義又はネットワーク装置によって伝送リソース設定周期の最小値を定義しても良い。調整パラメータに従って確定した値が該最小値より大きい場合、該確定した値を新しい設定周期として確定し、調整パラメータに従って確定した値が該最小値以下である場合、該最小値を新しい設定周期として確定する。
【００２９】
選択肢として、Ｓ１２０において、前記ネットワーク装置は、前記第１伝送周期に対応する伝送リソースにおいて前記端末機器により送信されたアップリンクデータを受信しない場合、調整パラメータに基づいて、前記第２伝送周期を確定し、前記第２伝送周期が前記第１伝送周期より大きく、しかも第２所定値以下である。
【００３０】
つまり、ネットワーク装置は、第１伝送周期に対応する伝送リソースにおいて、端末機器により送信されたアップリンクデータを受信しない場合、ネットワーク装置は、端末機器にアップリンク伝送リソースを割り当てる設定周期を短縮してもよく、具体的に、規格に定められ又はネットワーク装置が端末機器と事前に取り決められた調整パラメータに従って、リソース設定周期の調整を行うことができる。例えば、その前の伝送リソースの設定周期が４０ｍｓであり、ネットワーク装置は該伝送リソースにおいて、端末機器により送信されたアップリンクデータを受信しない場合、伝送リソースの設定周期を８０ｍｓに増加してよい。
【００３１】
選択肢として、通信規格定義又はネットワーク装置によって、伝送リソース設定周期の最大値を設定してもよい。調整パラメータに従って確定した値が該最大値以上である場合、該最大値を新しい設定周期として確定し、調整パラメータに従って確定した値が該最小値より小さい場合、該確定した値を新しい設定周期として確定する。
【００３２】
さらに、図２に示すように、該方法１００は、Ｓ１３０をさらに含む。
【００３３】
Ｓ１３０において、前記ネットワーク装置が、前記第２伝送周期に対応する伝送リソースにおいて、前記端末機器により送信されたアップリンクデータを受信した場合、前記第２伝送周期より小さい値を、前記端末機器がアップリンクデータを再度伝送する第３伝送周期として確定する。
【００３４】
つまり、伝送リソースの設定周期を増加し、ネットワーク装置が端末機器により送信されたアップリンクデータを受信した場合、伝送リソースの設定周期を減少してもよい。具体的に、ネットワーク装置は、調整パラメータに基づいて、前記第２周期より小さい値を確定し、前記第２周期より小さい値を前記第３周期として確定することができ、又は、ネットワーク装置は、初期値に直接戻して、伝送リソースの設定周期を減少する。例えば、前記第１伝送周期を前記第３伝送周期として直接に確定することができる。
【００３５】
本発明の実施例において、選択肢として、調整パラメータは、調整アルゴリズム及び／又は調整ステップサイズを含むことが可能であり、また、ネットワーク装置は、ブロードキャスト、マルチキャスト又はユニキャストの形式で、該端末機器に無線リソース制御（ＲＲＣ：Ｒａｄｉｏ  Ｒｅｓｏｕｒｃｅ  Ｃｏｎｔｒｏｌ）メッセージを送信することが可能であり、前記ＲＲＣメッセージは、前記調整パラメータを含む。
【００３６】
選択可能な一例として、調整アルゴリズムは、ランダム選択アルゴリズム、指数アルゴリズム又は線形アルゴリズムを含むことが可能であり、しかも調整アルゴリズムは特定のビットで標識することが可能であり、例えば、２個のビットで調整アルゴリズムの種類を標識することが可能であり、ここで、「００」はランダム選択アルゴリズムを標識し、「０１」は指数アルゴリズムを標識し、「１０」は線形アルゴリズムを標識する。調整ステップサイズは、特定したフォーマットで標識することが可能であり、例えば、２０ｍｓは２０ｆｓとして標識しても良く、又はシステムフレーム番号（ＳＦＮ：Ｓｙｓｔｅｍ  Ｆｒａｍｅ  Ｎｕｍｂｅｒ）＋サブフレーム番号（ＳｕｂＦｒａｍｅ）で標識しても良い。
【００３７】
本発明の実施例において、選択肢として、端末機器が、ネットワーク装置により設定された伝送リソースにおいて、データパケットを伝送した後に、送信されていないデータがまだ残っている可能性があり、その場合、端末機器は、ネットワーク装置が対応するリソースを割り当てさせるために、対応する情報をネットワーク装置に伝送しても良い。
【００３８】
具体的に、前記ネットワーク装置が前記第１伝送周期に対応する伝送リソースにおいて受信した、前記端末機器により送信されたアップリンクデータパケットには、メディアアクセス制御（ＭＡＣ：Ｍｅｄｉａ  Ａｃｃｅｓｓ  Ｃｏｎｔｒｏｌ）層が含まれ、前記ＭＡＣ層は第１指示情報をベアラし、前記第１指示情報は、前記端末機器に送信すべきデータがあるか否かを指示するために用いられる。
【００３９】
それに応じで、前記ネットワーク装置は、前記第１指示情報に基づいて、前記第２伝送周期と、前記第２伝送周期に対応する伝送リソースとを確定する。
【００４０】
一例として、前記ＭＡＣ層のＭＡＣ制御ユニット（ＭＡＣ  ＣＥ）の部分は前記第１指示情報をベアラし、又は、前記ＭＡＣ層のＭＡＣパケットヘッダーの部分は前記第１指示情報をベアラし、又は前記ＭＡＣ層の付加情報の部分は前記第１指示情報をベアラする。
【００４１】
例えば、１ビットで第１指示情報をベアラしても良く、該ビットの値が１である場合、端末機器に送信しようとするデータパケットが存在し、リソースを用意する必要があることを示し、この場合、ネットワーク装置は、先行技術の中の伝送リソースを動的に設定する方式、又は固定周期で伝送リソースを設定する方式を使用し、端末機器に伝送リソースを設定することが可能である。該ビットの値が０である場合、端末機器に送信しようとするデータパケットが存在せず、リソースを用意する必要がないことを示し、この場合、ネットワーク装置は、従来の設定周期に従って、端末機器に伝送リソースを設定し、又は伝送リソースの設定周期を増加することができる。
【００４２】
選択肢として、前記ネットワーク装置が前記第１伝送周期に対応する伝送リソースにおいて前記端末機器により送信されたアップリンクデータパケットを受信した、アップリンクデータパケットには、ＭＡＣ層を含まれ、前記ＭＡＣ層は第２指示情報をベアラし、前記第２指示情報は、前記端末機器に送信すべきデータがあることと、前記送信すべきデータが、前記端末機器が前記第１伝送周期に対応する伝送リソースにおいて送信されたアップリンクデータに対する大きさとを示すために用いられる。
【００４３】
それに応じで、前記ネットワーク装置は、前記第２指示情報に基づいて、前記第２伝送周期と、前記第２伝送周期に対応する伝送リソースとを確定する。
【００４４】
一例として、前記ＭＡＣ層のＭＡＣ制御ユニット（ＭＡＣ  ＣＥ）の部分は前記第２指示情報をベアラし、又は、前記ＭＡＣ層のＭＡＣパケットヘッダーの部分は前記第２指示情報をベアラし、又は前記ＭＡＣ層の付加情報の部分は前記第２指示情報をベアラする。
【００４５】
例を挙げて説明すると、１ビットで第２指示情報をベアラしても良く、該ビットの値が１である場合、端末機器に送信しようとするデータパケットが存在し、しかも該送信しようとするデータパケットの大きさがその前に送信したデータパケットの大きさより大きく、データパケットを伝送するために、その前に設定した伝送リソースブロックよりもっと大きいリソースブロックが必要であり、この場合、ネットワーク装置は、端末機器により多くの伝送リソースを設定してデータパケットを送信する。例えば、設定した伝送リソースに対応するリソースブロックの数は、その前に設定した伝送リソースに対応するリソースブロックの２倍であっても良い。該ビットの値が０である場合、端末機器に送信しようとするデータパケットが存在し、しかも送信しようとするデータパケットの大きさがその前に送信したデータパケットの大きさ以下であり、その前と同じのリソースブロックであれば送信することができ、この場合、ネットワーク装置は、データパケットを伝送するために、その前に設定した伝送リソースに対応するリソースブロックの数と同じの伝送リソースを端末機器に設定することができる。
【００４６】
そのため、本発明の実施例における無線通信の方法において、ネットワーク装置は、端末機器のアップリンクデータの伝送状態に基づいて、端末機器が次回アップリンクデータを伝送する伝送周期を確定することができ、それによって、アップリンク伝送リソースの割り当て及び利用の効率を向上させることができ、無線リソースの浪費を避ける。
【００４７】
以上において、図１と図２を結合して、ネットワーク装置側から、本発明の実施例による無線通信の方法を詳しく説明しており、以下において、図３と図４を結合して、端末機器側から本発明のもう一つの実施例による無線通信の方法を詳しく説明し、なお、ネットワーク装置側で説明している端末機器のネットワーク装置とのインタラクティブ及び相関特性、機能などは、端末機器側での説明と対応し合い、簡潔のため、適切に重複の説明を省略する。
【００４８】
図３は、本発明のもう一つの実施例に基づく無線通信の方法を示すフローチャートであり、図３に示すように、該方法３００は、Ｓ２１０とＳ２２０と含む。
【００４９】
Ｓ２１０において、端末機器は、ネットワーク装置により送信された、前記端末機器が第１伝送周期に従ってアップリンクデータを伝送することを指示する設定情報を受信する。
【００５０】
Ｓ２２０において、前記端末機器は、前記第１伝送周期に対応する伝送リソースにおけるデータ伝送状態に基づいて、次回アップリンクデータを伝送する第２伝送周期を確定する。
【００５１】
そのため、本発明の実施例による無線通信の方法において、端末機器は、自身のアップリンクデータ伝送状態に基づいて、次回アップリンクデータを伝送する伝送周期を判断することができ、それによって、アップリンク伝送リソースの利用効率を向上させることができ、無線リソースの浪費を避ける。
【００５２】
選択肢として、Ｓ２２０は、具体的に、前記端末が前記第１伝送周期に対応する伝送リソースにおいて、前記ネットワーク装置にアップリンクデータを送信する場合、調整パラメータに基づいて、前記第２伝送周期を確定し、前記第２伝送周期が前記第１伝送周期より小さく、しかも第１所定値以上である。
【００５３】
選択肢として、Ｓ２２０は、具体的に、前記端末機器が前記第１伝送周期に対応する伝送リソースにおいて、前記ネットワーク装置にアップリンクデータを送信しない場合、調整パラメータに基づいて、前記第２伝送周期を確定し、前記第２伝送周期が前記第１伝送周期より大きく、しかも第２所定値以下である。
【００５４】
選択肢として、図４に示すように、前記方法２００はＳ２３０をさらに含む。
【００５５】
Ｓ２３０において、前記端末機器が前記第２伝送周期に対応する伝送リソースにおいて、前記ネットワーク装置にアップリンクデータを送信する場合に、前記第２伝送周期より小さい値を、再度アップリンクデータを伝送する第３伝送周期として確定する。
【００５６】
選択肢として、Ｓ２３０は、具体的に、前記調整パラメータに基づいて、前記第２伝送周期より小さい値を確定し、前記第２伝送周期より小さい値を前記第３伝送周期として確定し、又は、前記第１伝送周期を前記第３伝送周期として確定する。
【００５７】
本発明の実施例において、選択肢として、前記端末機器は、前記ネットワーク装置から、ブロードキャスト、マルチキャスト又はユニキャストによって送信された無線リソース制御（ＲＲＣ）メッセージを受信し、前記ＲＲＣメッセージは、前記調整パラメータを含む。
【００５８】
本発明の実施例において、選択肢として、前記調整パラメータは、調整アルゴリズム及び／又は調整ステップサイズを含む。
【００５９】
本発明の実施例において、選択肢として、前記調整アルゴリズムは、ランダム選択アルゴリズム、指数アルゴリズム又は線形アルゴリズムを含む。
【００６０】
図５は、本発明の別の一つの実施例に基づく無線通信の方法であり、図５に示すように、該方法３００は、Ｓ３０１〜Ｓ３０４を含む。
【００６１】
Ｓ３０１において、ネットワーク装置は、ＵＬ  ｇｒａｎｔの初期周期などのパラメータを設定する。
【００６２】
ネットワーク装置は、ブロードキャストシグナリング又は専用シグナリングによって、初期周期等のパラメータを端末機器に設定する。
【００６３】
Ｓ３０２において、端末機器は、送信しようとするデータがあるか否かを判断する。
【００６４】
Ｓ３０３において、端末機器に、送信しようとするデータが存在する場合、端末機器は、ネットワーク装置がＵＬ  ｇｒａｎｔの設定周期を短縮することを確定する。
【００６５】
ネットワーク装置は、上記に説明している相関ステップにおける方法によって、ＵＬ  ｇｒａｎｔの設定周期（送信周期とも呼ばれる）を短縮することができ、重複を避けるために、ここで説明を省略する。
【００６６】
Ｓ３０４において、端末機器が、送信しようとするデータが存在しないことを確定した場合、端末機器は、ネットワーク装置がＵＬ  ｇｒａｎｔの設定周期を増加することを確定する。
【００６７】
ネットワーク装置は、上記に説明している相関ステップにおける方法によって、ＵＬ  ｇｒａｎｔの設定周期を増加することができ、重複を避けるために、ここで説明を省略する。
【００６８】
なお、ネットワーク装置が新しいＵＬ  ｇｒａｎｔの設定周期に基づいて、端末機器にＵＬ  ｇｒａｎｔリソースを設定してあげた後に、端末機器は、新たに設定されたリソースにおいて伝送するデータがあるか否かを改めて判断する必要があり、伝送しようとするデータがある場合、ステップＳ３０３を実施し、伝送するデータがない場合、ステップＳ３０４を実施する。
【００６９】
そのため、本発明の実施例による無線通信の方法において、端末機器は、自身のアップリンクデータ伝送状態に基づいて、次回アップリンクデータを伝送する伝送周期を判断することができ、それによって、アップリンク伝送リソースの利用効率を向上させることができ、無線リソースの浪費を避ける。
【００７０】
以下において図６を結合して、端末機器側から本発明のもう一つの実施例における無線通信の方法を詳しく説明し、なお、ネットワーク装置側で説明している端末機器のネットワーク装置とのインタラクティブ及び相関特性、機能などは、端末機器側での説明と対応し合い、簡潔のため、適切に重複の説明を省略する。
【００７１】
図６は、本発明の別の一つの実施例に基づく無線通信の方法を示すフローチャートであり、図６に示すように、該方法４００は、Ｓ４１０とＳ４２０を含む。
【００７２】
Ｓ４１０において、端末機器は、ネットワーク装置により送信された、前記端末機器が第１伝送リソースにおいてアップリンクデータを伝送することを指示する設定情報を受信する。
【００７３】
Ｓ４２０において、前記端末機器は、前記第１伝送リソースにおいて前記ネットワーク装置にアップリンクデータパケットを送信し、前記アップリンクデータパケットは、前記ネットワーク装置がＭＡＣ層に基づいて前記端末機器に第２伝送リソースを設定するために、前記メディアアクセス制御（ＭＡＣ）層を含む。
【００７４】
そのため、本発明の実施例による無線通信の方法において、端末機器は、ネットワーク装置に、ＭＡＣ層を含むアップリンクデータパケットを送信し、ネットワーク装置は、該ＭＡＣ層に含まれる情報に基づいて、端末機器に伝送リソースを設定することができ、それによって、伝送リソースの利用率を向上させることができ、無線リソースの浪費を避ける。
【００７５】
選択肢として、Ｓ４２０において、前記ＭＡＣ層は第１指示情報をベアラし、前記第１指示情報は、前記端末機器に送信すべきデータがあるか否かを指示するために用いられる。
【００７６】
選択肢として、Ｓ４２０において、前記ＭＡＣ層は第２指示情報をベアラし、前記第２指示情報は、前記端末機器に送信すべきデータが存在することと、前記送信すべきデータが、前記端末機器が前記第１伝送リソースにおいて送信したアップリンクデータに対する大きさとを示すために用いられる。
【００７７】
本発明の実施例において、選択肢として、前記ＭＡＣ層のＭＡＣ制御ユニット（ＭＡＣ  ＣＥ）の部分は前記第１指示情報をベアラし、又は、前記ＭＡＣ層のＭＡＣパケットヘッダーの部分は前記第１指示情報をベアラし、又は前記ＭＡＣ層の付加情報の部分は前記第１指示情報をベアラする。
【００７８】
本発明の実施例において、選択肢として、前記ＭＡＣ層のＭＡＣ制御ユニット（ＭＡＣ  ＣＥ）の部分は前記第２指示情報をベアラし、又は、前記ＭＡＣ層のＭＡＣパケットヘッダーの部分は前記第２指示情報をベアラし、又は前記ＭＡＣ層の付加情報の部分は前記第２指示情報をベアラする。
【００７９】
そのため、本発明の実施例による無線通信の方法において、端末機器は、ネットワーク装置に、ＭＡＣ層を含むアップリンクデータパケットを送信し、ネットワーク装置は、該ＭＡＣ層に含まれる情報に基づいて、端末機器に伝送リソースを設定することができ、それによって、伝送リソースの利用率を向上させることができ、無線リソースの浪費を避ける。
【００８０】
図７は、本発明の実施例に基づくネットワーク装置を示すブロック図であり、図７に示すように、ネットワーク装置１０は、
端末機器に、端末機器が第１伝送周期に従ってアップリンクデータを伝送することを指示する設定情報を送信するように構成される送受信モジュール１１と、
前記端末機器の前記第１伝送周期に対応する伝送リソースにおけるデータ伝送状態に基づいて、前記端末機器が次回アップリンクデータを伝送する第２伝送周期を確定するように構成される処理モジュール１２と、
を含む。
【００８１】
そのため、本発明の実施例におけるネットワーク装置は、端末機器のアップリンクデータの伝送状態に基づいて、端末機器が次回アップリンクデータを伝送する伝送周期を確定することができ、それによって、アップリンク伝送リソースの割り当て及び利用の効率を向上させることができ、無線リソースの浪費を避ける。
【００８２】
本発明の実施例において、選択肢として、前記処理モジュール１２は、具体的に、
前記送受信モジュール１１が、前記第１伝送周期に対応する伝送リソースにおいて、前記端末機器により送信されたアップリンクデータを受信した場合、調整パラメータに基づいて、前記第２伝送周期を確定するように構成され、前記第２伝送周期が前記第１伝送周期より小さく、しかも第１所定値以上である。
【００８３】
本発明の実施例において、選択肢として、前記処理モジュール１２は、具体的に、
前記送受信モジュール１１が、前記第１伝送周期に対応する伝送リソースにおいて、前記端末機器により送信されたアップリンクデータが受信できていない場合、調整パラメータに基づいて、前記第２伝送周期を確定し、前記第２伝送周期が前記第１伝送周期より大きく、しかも第２所定値以下である。
【００８４】
本発明の実施例において、選択肢として、前記処理モジュール１２は、
前記送受信モジュール１１が、前記第２伝送周期に対応する伝送リソースにおいて、前記端末機器により送信されたアップリンクデータを受信した場合、前記第２伝送周期より小さい値を、前記端末機器がアップリンクデータを再度伝送する第３伝送周期として確定するようにさらに構成される。
【００８５】
本発明の実施例において、選択肢として、前記処理モジュール１２は、具体的に、
前記調整パラメータに基づいて、前記第２伝送周期より小さい値を確定し、
前記第２伝送周期より小さい値を前記第３伝送周期として確定し、又は、
前記第１伝送周期を前記第３伝送周期として確定するように構成される。
【００８６】
本発明の実施例において、選択肢として、前記送受信モジュール１１は、前記第１伝送周期に対応する伝送リソースにおいて、前記端末機器により送信されたアップリンクデータパケットに含まれているメディアアクセス制御（ＭＡＣ）層のデータパケットを受信するように構成され、前記ＭＡＣ層は第１指示情報をベアラし、前記第１指示情報は、前記端末機器に送信すべきデータがあるか否かを指示するために用いられる。
【００８７】
ここで、前記処理モジュール１２は、前記ネットワーク装置が、前記第１指示情報に基づいて、前記第２伝送周期と、前記第２伝送周期に対応する伝送リソースとを確定するように構成される。
【００８８】
本発明の実施例において、選択肢として、前記ＭＡＣ層のＭＡＣ制御ユニット（ＭＡＣ  ＣＥ）の部分は前記第１指示情報をベアラし、又は、前記ＭＡＣ層のＭＡＣパケットヘッダーの部分は前記第１指示情報をベアラし、又は前記ＭＡＣ層の付加情報の部分は前記第１指示情報をベアラする。
【００８９】
本発明の実施例において、選択肢として、前記送受信モジュール１１は、前記第１伝送周期に対応する伝送リソースにおいて、前記端末機器により送信されたアップリンクデータパケットに含まれているＭＡＣ層を受信するように構成され、前記ＭＡＣ層は第２指示情報をベアラし、前記第２指示情報は、前記端末機器に送信すべきデータがあることと、前記送信すべきデータが、前記端末機器が前記第１伝送周期に対応する伝送リソースにおいて送信されたアップリンクデータに対する大きさとを示すために用いられる。
【００９０】
ここで、前記処理モジュール１２は、前記第２指示情報に基づいて、前記第２伝送周期、及び前記第２伝送周期に対応する伝送リソースを確定するように構成される。
【００９１】
本発明の実施例において、選択肢として、前記ＭＡＣ層のＭＡＣ制御ユニット（ＭＡＣ  ＣＥ）の部分は前記第２指示情報をベアラし、又は、前記ＭＡＣ層のＭＡＣパケットヘッダーの部分は前記第２指示情報をベアラし、又は前記ＭＡＣ層の付加情報の部分は前記第２指示情報をベアラする。
【００９２】
本発明の実施例において、選択肢として、前記送受信モジュール１１は、ブロードキャスト、マルチキャスト又はユニキャストの形式で、前記端末機器に無線リソース制御（ＲＲＣ）メッセージを送信するように構成され、前記ＲＲＣメッセージは、前記調整パラメータを含む。
【００９３】
本発明の実施例において、選択肢として、前記調整パラメータは、調整アルゴリズム及び／又は調整ステップサイズを含む。
【００９４】
本発明の実施例において、選択肢として、前記調整アルゴリズムは、ランダム選択アルゴリズム、指数アルゴリズム又は線形アルゴリズムを含む。
【００９５】
なお、本発明の実施例によるネットワーク装置１０は、本発明の実施例における無線通信の方法１００を実施することができ、また、ネットワーク装置１０における各モジュールの上記の又はその他の操作、及び／又は、機能は、図１と図２における各方法に対応するフローをそれぞれ実現することができ、簡潔のため、ここで説明を省略する。
【００９６】
また、本発明の実施例において、送受信モジュール１１は、レシーバーとトランスミッタによって実現されても良い。処理モジュール１２は、プロセッサによって実現されても良く、図８に示すように、ネットワーク装置１００は、プロセッサ１０１、レシーバー１０２、トランスミッタ１０３と記憶装置１０４を含むことが可能である。ここで、記憶装置１０４は、プロセッサ１０１に実行されるコード等を記憶するように用いられることが可能である。
【００９７】
ネットワーク装置１００内の各コンポーネントはバスシステム１０５によってカップリンブされており、ここでバスシステム１０５は、データバス以外に、電源バス、制御バス及び状態信号バスを含む。
【００９８】
なお、本発明の実施例によるネットワーク装置１００は、本発明の実施例におけるネットワーク装置１０に対応することができ、本発明の実施例による方法の主体に対応することができ、また、ネットワーク装置１００における各モジュールの上記のとその他の操作、及び／又は、機能は、図１と図２における各方法に対応するフローをそれぞれ実現することができ、簡潔のため、ここで説明を省略する。
【００９９】
図９は、本発明の実施例に基づく端末機器を示すブロック図であり、図９に示すように、端末機器２０は、
ネットワーク装置により送信された、前記端末機器が第１伝送周期に従ってアップリンクデータを伝送することを指示する設定情報を受信するように構成される送受信モジュール２１と、
前記第１伝送周期に対応する伝送リソースにおけるデータ伝送状態に基づいて、次回アップリンクデータを伝送する第２伝送周期を確定するように構成される処理モジュール２２と、
を含む。
【０１００】
そのため、本発明の実施例における端末機器は、自身のアップリンクデータ伝送状態に基づいて、次回アップリンクデータを伝送する伝送周期を判断することができ、それによって、アップリンク伝送リソースの利用効率を向上させることができ、無線リソースの浪費を避ける。
【０１０１】
本発明の実施例において、選択肢として、前記処理モジュール２２は、具体的に、前記送受信モジュール２１が、前記第１伝送周期に対応する伝送リソースにおいて、前記ネットワーク装置にアップリンクデータを送信する場合、調整パラメータに基づいて、前記第２伝送周期を確定するように構成され、前記第２伝送周期が前記第１伝送周期より小さく、しかも第１所定値以上である。
【０１０２】
本発明の実施例において、選択肢として、前記処理モジュール２２は、具体的に、前記送受信モジュール２１が、前記第１伝送周期に対応する伝送リソースにおいて、前記ネットワーク装置にアップリンクデータを送信していない場合、調整パラメータに基づいて、前記第２伝送周期を確定するように構成され、前記第２伝送周期が前記第１伝送周期より大きく、しかも第２所定値以下である。
【０１０３】
本発明の実施例において、選択肢として、前記処理モジュール２２は、前記送受信モジュール２１が、前記第２伝送周期に対応する伝送リソースにおいて、前記ネットワーク装置にアップリンクデータを送信する場合、前記第２伝送周期より小さい値を、再度アップリンクデータを伝送する第３伝送周期として確定するようにさらに構成される。
【０１０４】
本発明の実施例において、選択肢として、前記処理モジュール２２は、具体的に、
前記調整パラメータに基づいて、前記第２伝送周期より小さい値を確定し、
前記第２伝送周期より小さい値を前記第３伝送周期として確定し、又は、
前記第１伝送周期を前記第３伝送周期として確定するように構成される。
【０１０５】
本発明の実施例において、選択肢として、前記送受信モジュール２１は、前記ネットワーク装置より、ブロードキャスト、マルチキャスト又はユニキャストによって送信された無線リソース制御（ＲＲＣ）メッセージを受信するようにさらに構成され、前記ＲＲＣメッセージは、前記調整パラメータを含む。
【０１０６】
本発明の実施例において、選択肢として、前記調整パラメータは、調整アルゴリズム及び／又は調整ステップサイズを含む。
【０１０７】
本発明の実施例において、選択肢として、前記調整アルゴリズムは、ランダム選択アルゴリズム、指数アルゴリズム又は線形アルゴリズムを含む。
【０１０８】
なお、本発明の実施例による端末機器２０は、本発明の実施例における無線通信の方法１００を実施することができ、また、端末機器２０における各モジュールの上記の又はその他の操作、及び／又は、機能は、図３と図４における各方法に対応するフローをそれぞれ実現することができ、簡潔のため、ここで説明を省略する。
【０１０９】
また、本発明の実施例において、送受信モジュール２１は、レシーバーとトランスミッタによって実現されても良い。処理モジュール２２は、プロセッサによって実現されても良く、図１０に示すように、端末機器２００は、プロセッサ２０１、レシーバー２０２、トランスミッタ２０３と記憶装置２０４を含むことが可能である。ここで、記憶装置２０４は、プロセッサ２０１に実行されるコード等を記憶するように用いられることが可能である。
【０１１０】
端末機器２００内の各コンポーネントはバスシステム２０５によってカップリンブされており、ここでバスシステム２０５は、データバス以外に、電源バス、制御バス及び状態信号バスを含む。
【０１１１】
なお、本発明の実施例による端末機器２００は、本発明の実施例における端末機器２０に対応することができ、本発明の実施例による方法の主体に対応することができ、また、端末機器２００における各モジュールの上記のとその他の操作、及び／又は、機能は、図３と図４における各方法に対応するフローをそれぞれ実現することができ、簡潔のため、ここで説明を省略する。
【０１１２】
図１１は、本発明のもう一つの実施例に基づく端末機器を示すブロック図であり、図１１に示すように、端末機器３０は、
ネットワーク装置により送信された、前記端末機器が第１伝送リソースにおいてアップリンクデータを伝送することを指示する設定情報を受信するように構成される受信モジュール３１と、
前記第１伝送リソースにおいて前記ネットワーク装置にアップリンクデータパケットを送信するように構成される送信モジュール３２と、
を含み、前記アップリンクデータパケットは、前記ネットワーク装置が前記ＭＡＣ層に基づいて前記端末機器に第２伝送リソースを設定するために、メディアアクセス制御（ＭＡＣ）層を含む。
【０１１３】
そのため、本発明の実施例における端末機器は、ネットワーク装置にＭＡＣ層を含むアップリンクデータパケットを送信し、ネットワーク装置は、該ＭＡＣ層に含まれている情報に基づいて、端末機器に伝送リソースを設定することができ、それによって、伝送リソースの利用率を向上させることができ、無線リソースの浪費を避ける。
【０１１４】
本発明の実施例において、選択肢として、前記ＭＡＣ層は第１指示情報をベアラし、前記第１指示情報は、前記端末機器に送信すべきデータがあるか否かを指示するために用いられる。
【０１１５】
本発明の実施例において、選択肢として、前記ＭＡＣ層は第２指示情報をベアラし、前記第２指示情報は、前記端末機器に送信すべきデータが存在することと、前記送信すべきデータが、前記端末機器が前記第１伝送リソースにおいて送信したアップリンクデータに対する大きさとを示すために用いられる。
【０１１６】
本発明の実施例において、選択肢として、前記ＭＡＣ層のＭＡＣ制御ユニット（ＭＡＣ  ＣＥ）の部分は前記第１指示情報をベアラし、又は、前記ＭＡＣ層のＭＡＣパケットヘッダーの部分は前記第１指示情報をベアラし、又は前記ＭＡＣ層の付加情報の部分は前記第１指示情報をベアラする。
【０１１７】
本発明の実施例において、選択肢として、前記ＭＡＣ層のＭＡＣ制御ユニット（ＭＡＣ  ＣＥ）の部分は前記第２指示情報をベアラし、又は、前記ＭＡＣ層のＭＡＣパケットヘッダーの部分は前記第２指示情報をベアラし、又は前記ＭＡＣ層の付加情報の部分は前記第２指示情報をベアラする。
【０１１８】
なお、本発明の実施例による端末機器３０は、本発明の実施例における無線通信の方法３００を実施することができ、また、端末機器３０における各モジュールの上記の又はその他の操作、及び／又は、機能は、図６における各方法に対応するフローをそれぞれ実現することができ、簡潔のため、ここで説明を省略する。
【０１１９】
なお、本発明の実施例において、受信モジュール３１と送信モジュール３２とは、レシーバーとトランスミッタによって実現されても良い。図１２に示すように、端末機器３００は、プロセッサ３０１、レシーバー３０２、トランスミッタ３０３と記憶装置３０４を含むことが可能である。ここで、記憶装置３０４は、プロセッサ３０１に実行されるコード等を記憶するように用いられることが可能であり、プロセッサ３０１は、記憶装置３０４に記憶されているコードを実行し、レシーバー３０２での信号の受信とトランスミッタ３０３での信号の送信を制御する。
【０１２０】
端末機器３００内の各コンポーネントはバスシステム３０５によってカップリンブされており、ここでバスシステム３０５は、データバス以外に、電源バス、制御バス及び状態信号バスを含む。
【０１２１】
なお、本発明の実施例による端末機器３００は、本発明の実施例における端末機器３０に対応することができ、本発明の実施例による方法の主体に対応することができ、また、端末機器３００における各モジュールの上記のとその他の操作、及び／又は、機能は、図６における各方法に対応するフローをそれぞれ実現することができ、簡潔のため、ここで説明を省略する。
【０１２２】
本願に開示されている実施例に説明されている各例示的なユニット及びアルゴリズムのステップを結合し、電子ハードウェア、又はコンピュータソフトウェアと電子ハードウェアの結合を用いて実現することができると、当業者であれば理解できる。これらの機能がハードウェアの形式かそれともソフトウェアの形式で実施するかについては、技術案の特定応用と設計制約によるものである。当業者は、各特定応用に応じて異なる方法を用いて、説明されている機能を実現することができるが、このような実現は本発明の範囲を超えていると見なすべきではない。
【０１２３】
当業者は、説明の便利と簡潔上、上記に記載されているシステム、装置及びユニットの具体的な動作については、上記の方法実施例の対応されているフローを参照することができ、ここで説明を省略する。
【０１２４】
本願に提供されている幾つかの実施例において、開示されているシステム、装置及び方法は、その他の方式で実現されても良い。例えば、上記に記載されている装置の実施例は単なる例示的なものに過ぎず、例えば、前記ユニットの分け方が、単なるロジック的な機能分けであり、実際、実現する時に他の分け方があっても良く、例えば、複数のユニット又はコンポーネントを別のシステムへ統合、又は集成しても良く、又は幾つかの技術特徴を省略、又は実施しなくても良い。また、明示され、又は議論されている各構成部分の互い的なカップリング、又は直接のカップリング、又は通信接続は、幾つかのインターフェース、装置、又はユニットの間接のカップリング又は通信によって接続されても良く、電気的、機械的、又はその他の形式であっても良い。
【０１２５】
上記で分離コンポーネントとして説明したユニットは、物理的に分離されるものであっても良く、そうではないものであっても良い。ユニットとして示されるコンポーネントは物理ユニットであっても良く、そうではないものであっても良い。一箇所に配置されても良く、複数のネットワークユニットに配布しても良い。実際のニーズに応じて、その中の一部又は全部のユニットを選択して本実施例の技術案の目的を実現しても良い。
【０１２６】
また、本発明の各実施例における各機能ユニットは、一つの処理ユニットに統合しても良く、各ユニットはそれぞれ単独なユニットとしても良く、二つ又は二つ以上のユニットを一つのユニットに統合しても良い。
【０１２７】
前記機能は、ソフトウェア機能ユニットの方式で実現し、しかも独立な製品として販売又は使用する場合、コンピュータ読み取り可能の記憶媒体に記憶しても良い。これによって、本発明の技術案が事実上、言い換えれば先行技術に貢献した部分がソフトウェア製品の形で具現でき、該コンピュータソフトウェア製品は記憶媒体に記憶され、コンピュータ装置（パソコン、サーバ、またはネットワーク装置などであっても良い）に本発明の各実施例の全部または一部の前記方法を実行させための複数の命令を含む。上記の記憶媒体は、ＵＳＢメモリ、移動記憶媒体、読み取り専用メモリ（ＲＯＭ：Ｒｅａｄ−Ｏｎｌｙ  Ｍｅｍｏｒｙ）、ランダムアクセス記憶装置（ＲＡＭ：Ｒａｎｄｏｍ  Ａｃｃｅｓｓ  Ｍｅｍｏｒｙ）、磁気ディスク又はコンパクトディスクなどの各種のプログラムコードが記憶できる媒体を含む。
【０１２８】
上記に記載されているのは、単なる本発明の具体的な実施形態に過ぎず、本発明はそれに限らず、当業者が本発明に開示されている範囲内において、容易に想到し得る変形又は入れ替えは、全て本発明の範囲内に含まれるべきである。そのため、本発明の範囲は、記載されている特許請求の範囲に準じるべきである。
【図１】
2019502278.tif 000003
【図２】
2019502278.tif 000004
【図３】
2019502278.tif 000005
【図４】
2019502278.tif 000006
【図５】
2019502278.tif 000007
【図６】
2019502278.tif 000008
【図７】
2019502278.tif 000009
【図８】
2019502278.tif 000010
【図９】
2019502278.tif 000011
【図１０】
2019502278.tif 000012
【図１１】
2019502278.tif 000013
【図１２】
2019502278.tif 000014
【手続補正書】
【提出日】平成30年5月31日(2018.5.31)
【手続補正１】
【補正対象書類名】特許請求の範囲
【補正対象項目名】全文
【補正方法】変更
【補正の内容】
【特許請求の範囲】
【請求項１】
無線通信の方法であって、
ネットワーク装置は、端末機器に、前記端末機器が第１伝送周期に従ってアップリンクデータを伝送することを指示する設定情報を送信することと、
前記ネットワーク装置は、前記端末機器の前記第１伝送周期に対応する伝送リソースにおけるデータ伝送状態に基づいて、前記端末機器が次回アップリンクデータを伝送する第２伝送周期を確定することと、
を含む、ことを特徴とする前記無線通信の方法。
【請求項２】
前記ネットワーク装置は、前記端末機器の前記第１伝送周期に対応する伝送リソースにおけるデータ伝送状態に基づいて、前記端末機器が次回アップリンクデータを伝送する第２伝送周期を確定することは、
前記ネットワーク装置が、前記第１伝送周期に対応する伝送リソースにおいて、前記端末機器により送信されたアップリンクデータを受信した場合、調整パラメータに基づいて、前記第２伝送周期を確定すること、を含み、
前記第２伝送周期が前記第１伝送周期より小さく、しかも第１所定値以上である、
ことを特徴とする請求項１に記載の無線通信の方法。
【請求項３】
前記ネットワーク装置は、前記端末機器の前記第１伝送周期に対応する伝送リソースにおけるデータ伝送状態に基づいて、前記端末機器が次回アップリンクデータを伝送する第２伝送周期を確定することは、
前記ネットワーク装置が、前記第１伝送周期に対応する伝送リソースにおいて、前記端末機器により送信されたアップリンクデータを受信しない場合、調整パラメータに基づいて、前記第２伝送周期を確定することを含み、
前記第２伝送周期が前記第１伝送周期より大きく、しかも第２所定値以下である、
ことを特徴とする請求項１に記載の無線通信の方法。
【請求項４】
前記ネットワーク装置が、前記第２伝送周期に対応する伝送リソースにおいて、前記端末機器により送信されたアップリンクデータを受信した場合、前記第２伝送周期より小さい値を、前記端末機器がアップリンクデータを再度伝送する第３伝送周期として確定すること、
をさらに含み、
前記第２伝送周期より小さい値を、前記端末機器がアップリンクデータを再度伝送する第３伝送周期として確定することは、
前記調整パラメータに基づいて、前記第２伝送周期より小さい値を確定し、前記第２伝送周期より小さい値を前記第３伝送周期として確定すること、又は、
前記第１伝送周期を前記第３伝送周期として確定すること、
を含む、ことを特徴とする請求項３に記載の無線通信の方法。
【請求項５】
前記ネットワーク装置は、前記端末機器の前記第１伝送周期に対応する伝送リソースにおけるデータ伝送状態に基づいて、前記端末機器が次回アップリンクデータを伝送する第２伝送周期を確定することは、
前記ネットワーク装置が前記第１伝送周期に対応する伝送リソースにおいて受信した、端末機器により送信されたアップリンクデータパケットは、メディアアクセス制御（ＭＡＣ）層を含み、前記ＭＡＣ層は第１指示情報をベアラし、前記第１指示情報は、前記端末機器に送信すべきデータがあるか否かを指示するために用いられることと、
前記第１指示情報に基づいて、前記第２伝送周期、及び前記第２伝送周期に対応する伝送リソースを確定することと、
又は、
前記ネットワーク装置が前記第１伝送周期に対応する伝送リソースにおいて受信した、前記端末機器により送信されたアップリンクデータパケットは、ＭＡＣ層を含み、前記ＭＡＣ層は第２指示情報をベアラし、前記第２指示情報は、前記端末機器に送信すべきデータがあることと、前記送信すべきデータが、前記端末機器が前記第１伝送周期に対応する伝送リソースにおいて送信されたアップリンクデータに対する大きさとを示すために用いられることと、
前記第２指示情報に基づいて、前記第２伝送周期、及び前記第２伝送周期に対応する伝送リソースを確定することと、
を含み、
前記ＭＡＣ層のＭＡＣ制御ユニット（ＭＡＣ  ＣＥ）の部分は前記第１指示情報又は前記第２指示情報をベアラし、又は、前記ＭＡＣ層のＭＡＣパケットヘッダーの部分は前記第１指示情報又は前記第２指示情報をベアラし、又は前記ＭＡＣ層の付加情報の部分は前記第１指示情報又は前記第２指示情報をベアラする、ことを特徴とする請求項１に記載の無線通信の方法。
【請求項６】
前記ネットワーク装置は、ブロードキャスト、マルチキャスト又はユニキャストの形式で、前記端末機器に無線リソース制御（ＲＲＣ）メッセージを送信することをさらに含み、前記ＲＲＣメッセージは、前記調整パラメータを含み、
前記調整パラメータは、調整アルゴリズム及び／又は調整ステップサイズを含む、
ことを特徴とする請求項２〜４のいずれか１項に記載の無線通信の方法。
【請求項７】
無線通信の方法であって、
端末機器は、ネットワーク装置により送信された、前記端末機器が第１伝送周期に従ってアップリンクデータを伝送することを指示する設定情報を受信することと、
前記端末機器は、前記第１伝送周期に対応する伝送リソースにおけるデータ伝送状態に基づいて、次回アップリンクデータを伝送する第２伝送周期を確定することと、
を含む、ことを特徴とする前記無線通信の方法。
【請求項８】
前記端末機器は、前記第１伝送周期に対応する伝送リソースにおけるデータ伝送状態に基づいて、次回アップリンクデータを伝送する第２伝送周期を確定することは、
前記端末が前記第１伝送周期に対応する伝送リソースにおいて、前記ネットワーク装置にアップリンクデータを送信する場合、調整パラメータに基づいて、前記第２伝送周期を確定することを含み、
前記第２伝送周期が前記第１伝送周期より小さく、しかも第１所定値以上であり、
前記方法は、
前記端末機器は、前記ネットワーク装置から、ブロードキャスト、マルチキャスト又はユニキャストによって送信された無線リソース制御（ＲＲＣ）メッセージを受信することをさらに含み、前記ＲＲＣメッセージは、前記調整パラメータを含み、
前記調整パラメータは、調整アルゴリズム及び／又は調整ステップサイズを含む、
ことを特徴とする請求項７に記載の無線通信の方法。
【請求項９】
前記端末機器は、前記第１伝送周期に対応する伝送リソースにおけるデータ伝送状態に基づいて、次回アップリンクデータを伝送する第２伝送周期を確定することは、
前記端末機器が前記第１伝送周期に対応する伝送リソースにおいて、前記ネットワーク装置にアップリンクデータを送信しない場合、調整パラメータに基づいて、前記第２伝送周期を確定することを含み、
前記第２伝送周期が前記第１伝送周期より大きく、しかも第２所定値以下であり、
前記方法は、
前記端末機器は、前記ネットワーク装置から、ブロードキャスト、マルチキャスト又はユニキャストによって送信された無線リソース制御（ＲＲＣ）メッセージを受信することをさらに含み、前記ＲＲＣメッセージは、前記調整パラメータを含み、  前記調整パラメータは、調整アルゴリズム及び／又は調整ステップサイズを含む、
ことを特徴とする請求項７に記載の無線通信の方法。
【請求項１０】
前記端末機器が前記第２伝送周期に対応する伝送リソースにおいて、前記ネットワーク装置にアップリンクデータを送信する場合に、前記第２伝送周期より小さい値を、再度アップリンクデータを伝送する第３伝送周期として確定すること、をさらに含み、
前記第２伝送周期より小さい値を、再度アップリンクデータを伝送する第３伝送周期として確定することは、
前記調整パラメータに基づいて、前記第２伝送周期より小さい値を確定し、前記第２伝送周期より小さい値を前記第３伝送周期として確定すること、又は、
前記第１伝送周期を前記第３伝送周期として確定すること、
を含み、
前記方法は、
前記端末機器は、前記ネットワーク装置から、ブロードキャスト、マルチキャスト又はユニキャストによって送信された無線リソース制御（ＲＲＣ）メッセージを受信することをさらに含み、前記ＲＲＣメッセージは、前記調整パラメータを含み、
前記調整パラメータは、調整アルゴリズム及び／又は調整ステップサイズを含む、
ことを特徴とする請求項９に記載の無線通信の方法。
【請求項１１】
前記方法は、
前記端末機器は、前記第１伝送リソースにおいて前記ネットワーク装置にアップリンクデータパケットを送信することをさらに含み、
前記アップリンクデータパケットは、前記ネットワーク装置がＭＡＣ層に基づいて前記端末機器に第２伝送リソースを設定するために、前記メディアアクセス制御（ＭＡＣ）層を含み、
前記ＭＡＣ層は第１指示情報をベアラし、前記第１指示情報は、前記端末機器に送信すべきデータがあるか否かを指示するために用いられ、
前記ＭＡＣ層のＭＡＣ制御ユニット（ＭＡＣ  ＣＥ）の部分は前記第１指示情報をベアラし、又は、前記ＭＡＣ層のＭＡＣパケットヘッダーの部分は前記第１指示情報をベアラし、又は前記ＭＡＣ層の付加情報の部分は前記第１指示情報をベアラし、
前記ＭＡＣ層は第２指示情報をベアラし、前記第２指示情報は、前記端末機器に送信すべきデータが存在することと、前記送信すべきデータが、前記端末機器が前記第１伝送リソースにおいて送信したアップリンクデータに対する大きさとを示すために用いられ、
前記ＭＡＣ層のＭＡＣ制御ユニット（ＭＡＣ  ＣＥ）の部分は前記第２指示情報をベアラし、又は、前記ＭＡＣ層のＭＡＣパケットヘッダーの部分は前記第２指示情報をベアラし、又は前記ＭＡＣ層の付加情報の部分は前記第２指示情報をベアラする
ことを特徴とする請求項７に記載の無線通信の方法。
【請求項１２】
端末機器であって、
ネットワーク装置により送信された、前記端末機器が第１伝送周期に従ってアップリンクデータを伝送することを指示する設定情報を受信するように構成される送受信モジュールと、
前記第１伝送周期に対応する伝送リソースにおけるデータ伝送状態に基づいて、次回アップリンクデータを伝送する第２伝送周期を確定するように構成される処理モジュールと、
を含む、ことを特徴とする前記端末機器。
【請求項１３】
前記処理モジュールは、具体的に、
前記送受信モジュールが、前記第１伝送周期に対応する伝送リソースにおいて、前記ネットワーク装置にアップリンクデータを送信する場合、調整パラメータに基づいて、前記第２伝送周期を確定するように構成され、前記第２伝送周期が前記第１伝送周期より小さく、しかも第１所定値以上であり、
前記送受信モジュールは、さらに、
前記ネットワーク装置が、ブロードキャスト、マルチキャスト又はユニキャストによって送信した無線リソース制御（ＲＲＣ）メッセージを受信するようにさらに構成され、前記ＲＲＣメッセージは、前記調整パラメータを含み、前記調整パラメータは、調整アルゴリズム及び／又は調整ステップサイズを含む、
ことを特徴とする請求項１２に記載の端末機器。
【請求項１４】
前記処理モジュールは、具体的に、
前記送受信モジュールが、前記第１伝送周期に対応する伝送リソースにおいて、前記ネットワーク装置にアップリンクデータを送信しない場合、調整パラメータに基づいて、前記第２伝送周期を確定し、前記第２伝送周期が前記第１伝送周期より大きく、しかも第２所定値以下であり、
前記処理モジュールは、さらに、
前記送受信モジュールが、前記第２伝送周期に対応する伝送リソースにおいて、前記ネットワーク装置にアップリンクデータを送信する場合、前記第２伝送周期より小さい値を、再度アップリンクデータを伝送する第３伝送周期として確定するようにさらに構成され、
前記処理モジュールは、さらに、
前記調整パラメータに基づいて、前記第２伝送周期より小さい値を確定し、前記第２伝送周期より小さい値を前記第３伝送周期として確定する、又は、前記第１伝送周期を前記第３伝送周期として確定するように構成され、
前記送受信モジュールは、さらに、
前記ネットワーク装置が、ブロードキャスト、マルチキャスト又はユニキャストによって送信した無線リソース制御（ＲＲＣ）メッセージを受信するようにさらに構成され、前記ＲＲＣメッセージは、前記調整パラメータを含み、前記調整パラメータは、調整アルゴリズム及び／又は調整ステップサイズを含む、
ことを特徴とする請求項１２に記載の端末機器。
【請求項１５】
前記端末機器は、
前記第１伝送リソースにおいて前記ネットワーク装置にアップリンクデータパケットを送信するように構成される送信モジュールをさらに含み、
前記アップリンクデータパケットは、前記ネットワーク装置がＭＡＣ層に基づいて前記端末機器に第２伝送リソースを設定するために、前記メディアアクセス制御（ＭＡＣ）層を含み、
前記ＭＡＣ層は第１指示情報をベアラし、前記第１指示情報は、前記端末機器に送信すべきデータがあるか否かを指示するために用いられ、
前記ＭＡＣ層は第２指示情報をベアラし、前記第２指示情報は、前記端末機器に送信すべきデータが存在することと、前記送信すべきデータが、前記端末機器が前記第１伝送リソースにおいて送信したアップリンクデータに対する大きさとを示すために用いられ、
前記ＭＡＣ層のＭＡＣ制御ユニット（ＭＡＣ  ＣＥ）の部分は前記第１指示情報をベアラし、又は、前記ＭＡＣ層のＭＡＣパケットヘッダーの部分は前記第１指示情報をベアラし、又は前記ＭＡＣ層の付加情報の部分は前記第１指示情報をベアラし、
前記ＭＡＣ層のＭＡＣ制御ユニット（ＭＡＣ  ＣＥ）の部分は前記第２指示情報をベアラし、又は、前記ＭＡＣ層のＭＡＣパケットヘッダーの部分は前記第２指示情報をベアラし、又は前記ＭＡＣ層の付加情報の部分は前記第２指示情報をベアラする
ことを特徴とする請求項１２に記載の端末機器。
【国際調査報告】
2019502278.tif 000015
2019502278.tif 000016
2019502278.tif 000017
2019502278.tif 000018
2019502278.tif 000019